(57)【要約】【課題】ＭＦＰにログインしているユーザの権限と同じ権限を携帯情報端末での複雑な操作をすることなく携帯情報端末に付与することを可能にする。【解決手段】ＭＦＰにログインするための認証手段と認証手段で認証されたユーザの権限を取得する手段とをもち、認証情報を二次元バーコードなどで携帯情報端末に送る。携帯情報端末は受信した認証情報をネットワークを通じてＭＦＰに送信する。ＭＦＰは認証手段で得た認証情報と携帯情報端末から送られた認証情報が等しいときに、携帯情報端末に対して取得したユーザの権限を割り当てる。【選択図】  図１
2015166944.tif 000002
【特許請求の範囲】
【請求項１】
認証手段（４０３）と、
認証手段で認証されたユーザの権限を取得する手段（４０５、Ｓ５０４）と、
前記認証手段で認証した認証情報を取得する認証情報取得手段（４０５、Ｓ５０３）と、
第一に端末に接続するための接続情報を取得する接続情報取得手段（４０７、Ｓ５０５）と、
前記認証情報と第一に端末に接続するための接続情報を送信する接続・認証情報送信手段（４０６）と、
第二の端末からの命令を受信・実行する命令受信実行手段（４０２、４０１）
からなる第一の端末と、
認証情報と接続情報を受信する接続・認証情報受信手段（４１４）と、
前記接続情報を用いて第一の端末に認証情報を送信する認証情報送信手段（４１１）と、
第一の端末に命令を送信する命令送信手段（４１０、４０９）
からなる第二の端末からなり、
前記第一の端末は、
第二の端末から認証情報を受信する認証情報受信手段（４０４）、
前記認証情報受信手段で受信した認証情報と前記認証情報取得手段で取得した認証情報を比較する手段（４０５、Ｓ５０１）、
前記比較手段で比較が成功したら第一の端末での前記権限付与手段で付与された権限を前記に第二の端末からの命令を受信・実行する命令受信実行手段（４０２、４０１）に、許可する許可手段（４０５）から構成されることを特徴とする認証システム。
【請求項２】
第二の端末の端末識別子を取得する端末識別子取得手段（１１０３、Ｓ７２０）、
第二の端末の認証情報送信手段は認証情報とともに前記端末識別子取得手段で取得した端末識別子を送信する送信手段（４１１）であり、
第一の端末の認証情報受信手段（４０４）は第二の端末から認証情報と第二の端末の端末識別子を受信し、
第一の端末は受信した第二の端末の端末識別子を表示する端末識別子表示手段（１１０１、Ｓ７１１）を持つことを特徴とする請求項１に記載の認証システム。
【請求項３】
端末識別子取得手段（１１０３）は利用者が識別子を変更可能であることを特徴とする請求項２に記載の認証システム。
【請求項４】
端末識別子表示手段（１１０１）に表示されている端末識別子が有効であるかを入力可能な識別子有効判定入力手段（１１０２、Ｓ７１２）をもつことを特徴とする請求項２又は請求項３に記載の認証システム。
【請求項５】
第一の端末は接続・認証情報送信手段で送信する情報をエンコードするエンコード手段（４０８、Ｓ５０６）をもち、第二の端末は接続・認証情報受信手段で受信した情報をデコードするデコード手段（４１５、Ｓ５１７、Ｓ５１８）をもつことを特徴とする請求項１乃至請求項３の何れか一項に記載の認証システム。
【請求項６】
前記エンコード手段は二次元バーコードエンコード手段（４０８、Ｓ５０６）であり、前記デコード手段は二次元バーコードデコード手段（４１５、Ｓ５１７、Ｓ５１８）であることを特徴とする請求項４に記載の認証システム。
【発明の詳細な説明】
【技術分野】
【０００１】
本発明は、画像形成装置と携帯情報端末を連携する場合の認証処理に関する。
【背景技術】
【０００２】
ｉＰｈｏｎｅやＡｎｄｒｏｉｄ端末といった携帯情報端末と画像形成装置を連携させ、携帯情報端末から画像形成装置のドキュメントスキャナやＰＤＦ生成機能、プリンタを使用して、ドキュメントのスキャンや印刷をおこなうことが可能になっている。
【０００３】
それらのアプリケーションはＡｐｐｌｅ社のＲｅｎｄｅｚｖｏｕｓやＭｉｃｒｏｓｏｆｔのＵＰｎＰのような機器探索プロトコルを使用してネットワーク上の画像形成装置を探索し、接続する。
【０００４】
さらに画像形成装置の提供するＷｅｂＳｅｒｖｉｃｅ  ＡＰＩなどを使用することによりデジタル複合機をコントロールすることができる。
【０００５】
認証されたユーザのみが画像形成装置でスキャンや印刷をおこなえるような環境の場合、接続する携帯情報端末の認証をおこなう必要がある。特許文献１のような片方の機器で生成したセッション情報をもう一方と共有し双方から認証サーバに送信し、双方から送られたセッション情報が等しいときに認証が成功したとみなす方法が存在する。
【先行技術文献】
【特許文献】
【０００６】
【特許文献１】特許第４３３４５１５号明細書
【発明の概要】
【発明が解決しようとする課題】
【０００７】
しかし、汎用機器である携帯情報端末の場合、ＩＣカードリーダを持っているとは限らないため、ユーザは携帯情報端末のＵＩを使用してユーザＩＤやパスワードを入力しなくてはならず、ユーザにとって負担となる。
【０００８】
また、携帯情報端末をＬＡＮに直接接続することはセキュリティ上の問題となる可能性がありＬＡＮではなくインターネット経由で接続するためＲｅｎｄｅｚｖｏｕｓやＵＰｎＰの使用には制限がある。
【０００９】
一方、特許文献１ではセッションを生成する機器がＭＦＰのようなユーザによって共有されている機器を想定していないため、ＩＣカードリーダといった認証手段をもった画像形成装置では使用できない。
【課題を解決するための手段】
【００１０】
本発明の構成は、
認証手段（４０３）と
認証手段で認証されたユーザに権限を付与する権限付与手段（４０３）と
前記認証手段で認証した認証情報を取得する認証情報取得手段（４０５）と
第一に端末に接続するための接続情報を取得する接続情報取得手段（４０７）と
前記認証情報と第一に端末に接続するための接続情報を送信する接続・認証情報送信手段（４０６）
からなる第一の端末と
認証情報と接続情報を受信する接続・認証情報受信手段（４１４）と
前記接続情報を用いて第一の端末に認証情報を送信する認証情報送信手段（４１１）
からなる第二の端末からなり
前記第一の端末は
第二の端末から認証情報を受信する認証情報受信手段（４０４）
前記認証情報受信手段で受信した認証情報と前記認証情報取得手段で取得した認証情報を比較する手段（４０５）
前記比較手段で比較が成功したら第一の端末での前記権限付与手段で付与された権限を第二の端末に許可する許可手段（４０５）から構成されることを特徴とする認証システム。
【発明の効果】
【００１１】
本発明によれば、ユーザは簡単な操作をおこなうだけでＭＦＰの認証用機器をもちいて携帯情報端末から、ＭＦＰでの認証によるユーザ権限で画像形成装置への接続、利用が可能となる。さらに他のユーザが自分の権限でＭＦＰを使用することを防止可能となる。
【図面の簡単な説明】
【００１２】
【図１】本発明を構成する機器を示す図
【図２】画像処理装置のハードウェア構成を示す図
【図３】携帯情報処理装置のハードウェア構成を示す図
【図４】第一の実施例のソフトウェア構成を示すブロック図
【図５】第一の実施例の処理のフローチャート
【図６】アドレス、ログイン情報と画像処理装置に表示される２次元バーコードを示す図
【図７】第二の実施例の処理のフローチャート
【図８】第一の実施例の携帯情報端末の接続管理部のＵＩを示す図
【図９】第二の実施例の携帯情報端末の接続管理部のＵＩを示す図
【図１０】第一および第二の実施例の携帯情報端末の機器操作部のＵＩを示す図
【図１１】第二の実施例のソフトウェア構成を示すブロック図
【図１２】第二の実施例の画像処理装置に表示される携帯情報端末識別子情報を示す図
【発明を実施するための形態】
【００１３】
以下、本発明を実施するための最良の形態について図面を用いて説明する。
【００１４】
尚、以下の実施の形態は特許請求の範囲に係る発明を限定するものでなく、また実施の形態で説明されている特徴の組み合わせの全てが発明の解決手段に必須のものとは限らない。
【００１５】
以下、本発明の実施の形態について図面を参照して詳細に説明する。
【００１６】
まず第一の実施例について説明する。
【００１７】
図１は本発明の第一の実施例を構成する機器をしめす図である。本発明は画像形成装置１０２、携帯情報端末１０３、およびそれらを接続するネットワーク１０１から構成される。
【００１８】
図２は、図１における画像形成装置１０１のハードウェア構成を示すブロック図である。ＣＰＵ２０１は、画像形成装置のソフトウェアプログラムを実行し、装置全体の制御を行なう。ＲＯＭ２０２は、リードオンリーメモリであり、装置のブートプログラムや固定パラメータ等が格納されている。ＲＡＭ２０３は、ランダムアクセスメモリであり、ＣＰＵ２０１が装置を制御する際に、一時的なデータの格納などに使用する。外部記憶装置２０４は、インストールされたアプリケーションやアプリケーションのデータや印刷データの格納など、様々なデータの格納に使用する。ＵＳＢＨ  Ｉ／Ｆ制御部２０５はＵＳＢホストインタフェースを制御するためのものであり、さまざまなＵＳＢデバイスとの通信を制御する。スキャナＩ／Ｆ制御部２０６は、スキャナ２１１を制御する装置である。プリンタＩ／Ｆ制御部２０７は、プリンタ２１２を制御する装置である。ＮＶＲＡＭ２０８は、不揮発性のメモリであり画像形成装置の各種設定値が保存される。パネル制御部２０９は、操作パネル２１３を制御し、各種情報の表示、ユーザからの指示入力を行なうためのものである。ネットワークＩ／Ｆ制御部２１０は、ネットワーク１０１とのデータの送受信を制御する。バス２１４には、ＣＰＵ２０１、ＲＯＭ２０２、ＲＡＭ２０３、外部記憶装置２０４、ＵＳＢＨ  Ｉ／Ｆ制御部２０５、スキャナＩ／Ｆ制御部２０６、プリンタＩ／Ｆ制御部２０７、ＮＶＲＡＭ２０８、パネル制御部２０９、ネットワークＩ／Ｆ制御部２１０が接続される。またバス２１４は、ＣＰＵ２０１からの制御信号や各装置間のデータ信号が送受信されるシステムバスである。ＩＣカードリーダ２１６は認証をおこなうためのＵＳＢデバイスである。
【００１９】
図３は図１における携帯情報端末１０３のハードウェア構成をしめすブロック図である。
【００２０】
ＣＰＵ２０１は、画像形成装置のソフトウェアプログラムを実行し、装置全体の制御を行なう。ＲＡＭ３０２は、ランダムアクセスメモリであり、ＣＰＵ２０１が装置を制御する際に、一時的なデータの格納などに使用する。ＲＯＭ３０３は、リードオンリーメモリであり、装置のブートプログラムや固定パラメータ等が格納されている。操作パネル３０４はＵＩの表示とユーザの入力をおこなうためのものである。撮影ユニット３０５は画像の撮影をおこなうためのものである。ネットワークＩ／Ｆ制御部３０６はットワーク１０１とのデータの送受信を制御する。バス３０７はＣＰＵ３０１、ＲＡＭ３０２、ＲＯＭ３０３、操作パネル３０４、撮影ユニット３０５、ネットワークＩ／Ｆ制御部３０６が接続される。またバス３０７は、ＣＰＵ３０１からの制御信号や各装置間のデータ信号が送受信されるシステムバスである。
【００２１】
図４は本発明のソフトウェアの構成をしめすブロック図である。
【００２２】
画像処理装置１０２は以下のソフトウェアブロックから構成される。
【００２３】
プリンタやスキャナの制御をおこなう機器制御部４０１。
【００２４】
外部からの機器制御命令を受信して機器制御部４０１に機器制御を要求する機器制御命令受信部４０２。
【００２５】
画像処理装置へのログインとユーザ権限を管理するログイン管理部４０３。
【００２６】
ユーザによってログインがおこなわれるとログイン管理部４０３からのログイン情報を取得して携帯情報端末１０３からの接続を管理する外部接続制御部４０５。
【００２７】
画像処理装置１０２のホスト名やＩＰアドレスといったネットワーク識別子を取得するホスト情報取得部４０７。
【００２８】
ホスト情報取得部４０７で取得したネットワーク識別子およびログイン情報から二次元バーコードを生成する二次元バーコード生成部４０８。
【００２９】
二次元バーコード生成部４０８で生成した二次元バーコードを操作パネル２１３に表示をおこなう二次元バーコード表示部４０６。
【００３０】
携帯情報端末１０３に接続許可情報を通知する接続許可送信部４１５。
【００３１】
さらに携帯情報端末１０３は以下のソフトウェアブロックから構成される。
【００３２】
携帯情報端末上で動作するプログラム管理部４１３。
【００３３】
プログラム管理部から起動され、画像処理装置１０２への接続をおこなう接続管理部４１２。
【００３４】
接続管理部は図８のようなＵＩを持つ。
【００３５】
接続管理部４１２の指示により画像処理装置１０２の操作パネル２１３に二次元バーコード表示部４０６が表示した二次元バーコードを撮影し接続管理部に渡す撮像部４１４。
【００３６】
撮像部４１４で撮影された二次元バーコードから画像処理装置１０２のネットワーク識別子とログイン情報を取得する二次元バーコードデコード部４１５。
【００３７】
二次元バーコードデコード部４１５でデコードしたネットワーク識別子を使って画像処理装置１０２に接続し、二次元バーコードデコード部４１５でデコードしたログイン情報を送信する接続情報送信部４１１。
【００３８】
画像処理装置１０２から接続許可情報を取得する接続許可受信部４１６。
【００３９】
接続許可受信部４１６で接続許可を受信したらプログラム管理部４１３に起動され、ユーザが機器操作をおこなう機器操作部４１０。
【００４０】
機器操作部は図１０のようなＵＩをもつアプリケーションである。
【００４１】
機器操作部４１０に入力された操作の情報を画像処理装置１０２に送信する機器制御命令送信部４０９。
【００４２】
図５は第一の実施例のフローチャートである。
【００４３】
画像形成装置１０２は処理を開始（ステップ５０１）すると、ログイン管理部４０３は操作パネル２１３にログイン画面を表示しユーザからのログイン待ちをおこなう（ステップ５０２）。
【００４４】
ユーザからのログイン５２３が行われると、外部接続管理部４０５はログイン管理部４０３からユーザのログイン状態をしめすログイン情報６０２を取得する（ステップ５０３）。
【００４５】
次に外部接続管理部４０５はログイン管理部４０３からログインしたユーザの権限をしめす権限情報を取得する（ステップ５０４）。
【００４６】
さらに外部接続管理部４０５はホスト情報処理部４０７から画像処理装置１０２のＩＰアドレス６０１などのホスト情報を取得する（ステップ５０５）。
【００４７】
さらに外部接続管理部４０５は二次元バーコード生成部４０８を使ってステップ５０３で取得したログイン情報およびステップ５０５で取得した画像処理装置１０２のＩＰアドレスから二次元バーコード６０３を生成、取得する（ステップ５０６）。
【００４８】
このときログイン情報、ＩＰアドレスのほかワンタイム性を確保するために乱数文字列を含めて二次元バーコード６０３を生成してもよい。
【００４９】
外部接続管理部４０５は二次元バーコード表示部４０６を使って画像処理装置１０２の操作パネル２１３にステップ５０５で取得した二次元バーコードを図６の６０３ように表示する（ステップ５０７）。そして携帯情報端末１０３から接続要求があるまで接続待ちうける（ステップ５０８）。
【００５０】
画像処理装置１０２は接続情報受信部４０６で携帯情報端末１０３から接続要求５２４を受信すると、外部接続管理部４０５は二次元バーコード表示部４０６を使って画像処理装置１０２の操作パネル２１３の二次元バーコードを消去する（ステップ５０９）。
【００５１】
接続要求５２４にはログイン情報が含まれている。またワンタイム性を確保するための乱数文字列が含まれていてもよい。
【００５２】
接続情報受信部４０６で受信した接続要求５２５に含まれるログイン情報とステップ５０３で取得したログイン情報を比較する（ステップ５１０）。乱数文字列が含まれている場合には接続要求に含まれている乱数文字列とステップ５０６で使用した乱数文字列の比較もおこなう。
【００５３】
ステップ５１０の比較でログイン情報が等しければ外部接続管理部４０５は機器制御命令受信部４０２を起動しステップ５０４で取得した権限情報を機器制御命令受信部４０２に付与する（ステップ５１１）。さらに外部接続管理部４０５は接続許可送信部４１５を使って携帯情報端末１０３に対して接続許可５２７を送信する（ステップ５１２）。機器制御命令受信部４０２は携帯情報端末１０３の機器制御命令送信部４０９からスキャンやプリント命令の受信を待ち、制御命令を受信すると機器制御部で実行する（ステップ５１３）。
【００５４】
ステップ５１０の比較でログイン情報が等しくなければ外部接続管理部４０５は接続許可送信部４１５を使って携帯情報端末１０３に対して接続不許可５２８を送信し（ステップ５１４）、ステップ５０６に遷移する。
【００５５】
一方、携帯情報端末１０３は処理を開始するとプログラム管理部４１３は接続管理部４１２を起動する（ステップ５１５）。
【００５６】
接続管理部４１２は図８のようなＵＩをもつアプリケーションであり、ユーザがログインボタン８０２を押すと８０１のように撮影部４１４をもちいて二次元バーコードを撮影５２４する（ステップ５１６）。
【００５７】
接続管理部４１２は二次元バーコードデコード部４１５を用いてステップ５１６で撮影した二次元バーコードからログイン情報を取得する（ステップ５１７）。
さらに二次元バーコードから画像処理装置のＩＰアドレスを取得する（ステップ５１８）。
【００５８】
接続管理部４１２は接続情報送信部４１１を用いてステップ５１８で取得したＩＰアドレスの画像処理装置１０２に対してステップ５１７で取得したログイン情報を接続要求５２５として送信（ステップ５１９）する。二次元バーコードにワンタイム性を確保するための乱数文字列が含まれていれば、その乱数文字列も送信する。
【００５９】
接続管理部４１２はログイン情報を送信したら接続許可受信部４１２を用いて接続不許可５２６または接続許可５２７を待ちうける（ステップ５２０）。
【００６０】
接続管理部４１２は接続許可受信部４１２で画像処理装置１０２の接続許可送信部４１５からメッセージを受信したら接続許可・接続不許可であるかを調べる（ステップ５２１）。接続不許可であれば接続管理部４１２はステップ５１６に遷移する。
【００６１】
接続許可であれば接続管理部４１２はプログラム管理部４１３に対して図１０の１００１のようなＵＩをもつ機器操作部４１０を起動するように依頼し、接続管理部４１２は処理を終了する（ステップ５２２）。
【００６２】
次に本発明の第二の実施例について説明する。
【００６３】
本発明を構成する機器および画像処理装置１０２のハードウェア構成、携帯情報端末１０３のハードウェア構成は第一の実施例と同じである。
【００６４】
図１１は本発明の第二の実施例のソフトウェアの構成を示す図である。
【００６５】
画像処理装置１０２は図４に加えて以下のソフトウェアブロックから構成される。
【００６６】
携帯情報端末１０３からログイン情報とともに送信されてきた携帯情報端末の識別子を操作パネル２１３に表示する携帯情報端末識別子表示部１１０１。
【００６７】
操作パネル２１３に表示された携帯情報端末の識別子が有効であるかの入力を行うための接続許可入力部１１０２。
【００６８】
携帯情報端末１０３は図４に加えて以下のソフトウェアブロックから構成される。
【００６９】
画像処理装置１０２に送信する携帯情報端末の識別子を選択する携帯情報端末識別子選択部１１０３。
【００７０】
図７は第二の実施例のフローチャートである。
【００７１】
画像形成装置１０２は処理を開始（ステップ７０１）すると、ログイン管理部４０３は操作パネル２１３にログイン画面を表示しユーザからのログイン待ちをおこなう（ステップ７０２）。
【００７２】
ユーザからのログイン７２８が行われると、外部接続管理部４０５はログイン管理部４０３からユーザのログイン状態をしめすログイン情報６０２を取得する（ステップ７０３）。
【００７３】
次に外部接続管理部４０５はログイン管理部４０３からログインしたユーザの権限をしめす権限情報を取得する（ステップ７０４）。
【００７４】
さらに外部接続管理部４０５はホスト情報処理部４０７から画像処理装置１０２のＩＰアドレス６０１等のホスト情報を取得する（ステップ７０５）。
【００７５】
さらに外部接続管理部４０５は二次元バーコード生成部４０８を使ってステップ７０３で取得したログイン情報およびステップ７０５で取得した画像処理装置１０２のＩＰアドレスから二次元バーコード６０３を生成、取得する（ステップ７０６）。
【００７６】
このときログイン情報、ＩＰアドレスのほかワンタイム性を確保するために乱数文字列を含めて二次元バーコード６０３を生成してもよい。
【００７７】
外部接続管理部４０５は二次元バーコード表示部４０６を使って画像処理装置１０２の操作パネル２１３にステップ５０５で取得した二次元バーコードを図６の６０３のように表示する（ステップ７０７）。そして携帯情報端末１０３から接続要求７３０があるまで接続待ちうける（ステップ７０８）。
【００７８】
画像処理装置１０２は接続情報受信部４０６で携帯情報端末１０３から接続要求７３０を受信すると、外部接続管理部４０５は二次元バーコード表示部４０６を使って画像処理装置１０２の操作パネル２１３の二次元バーコードを消去する（ステップ７０９）。
【００７９】
接続要求７３０にはログイン情報と携帯情報端末１０３でユーザが選択した携帯情報端末識別情報として画像データが含まれている。携帯情報端末識別情報はユーザが自分の端末からの接続であると認識可能な情報であればユーザの入力した文字列でもよいし、携帯情報端末１０３のシリアル番号でもよい。またワンタイム性を確保するための乱数文字列が含まれていてもよい。
【００８０】
接続情報受信部４０６で受信した接続要求７３０に含まれるログイン情報とステップ７０３で取得したログイン情報を比較する（ステップ７１０）。接続要求７３０に乱数文字列が含まれている場合には含まれている乱数文字列とステップ７０６で使用した乱数文字列の比較もおこなう。
【００８１】
ステップ７１０でログイン情報が等しければ外部接続管理部４０５は携帯情報端末識別子表示部１１０１を使って画像処理装置１０２の操作パネル２１３にステップ７０８で取得した携帯情報端末識別情報を図１２の１２０１のように表示する（ステップ７１１）。
【００８２】
そして画像処理装置１０２の操作パネル２１３に表示した帯情報端末識別情報として画像データがユーザの携帯情報端末１０３を識別するものであるかの入力７３２を待ちうける（ステップ７１２）。
【００８３】
ステップ７１０でログイン情報が等しくなければ外部接続管理部４０５は接続許可送信部４１５を使って携帯情報端末１０３に対して接続不許可７３１を送信し（ステップ７１７）、ステップ７０６に遷移する。
【００８４】
ステップ７１２でユーザの入力がＹｅｓであれば機器制御命令受信部４０２を起動しステップ７０４で取得した権限情報を機器制御命令受信部４０２付与する（ステップ７１４）。さらに外部接続管理部４０５は接続許可送信部４１５を使って携帯情報端末１０３に対して接続許可７３３を送信する（ステップ７１５）。機器制御命令受信部４０２は携帯情報端末１０３の機器制御命令送信部４０９からスキャンやプリント命令の受信を待ち、制御命令を受信すると機器制御部で実行する（ステップ７１６７）。
【００８５】
ステップ７１２でユーザの入力がＮｏであれば外部接続管理部４０５は接続許可送信部４１５を使って携帯情報端末１０３に対して接続不許可７３１を送信し（ステップ７１７）、ステップ７０６に遷移する。
【００８６】
一方、携帯情報端末１０３は処理を開始するとプログラム管理部４１３は接続管理部４１２を起動する（ステップ７１８）。
【００８７】
接続管理部４１２は図９のようなＵＩをもつアプリケーションであり、ユーザは９０２のような携帯情報端末識別子選択部１１０３で携帯情報端末識別子を選択７２９できる。ユーザがログインボタン８０２を押すと８０１のように撮影部４１４をもちいて二次元バーコードを撮影７３０する（ステップ７１９）。
【００８８】
接続管理部４１２は携帯情報端末識別子選択部１１０３で選択されている画像データを取得する（ステップ７２０）。
【００８９】
接続管理部４１２は二次元バーコードデコード部４１５を用いてステップ７１９で撮影した二次元バーコードからログイン情報を取得する（ステップ７２１）。
【００９０】
さらに二次元バーコードから画像処理装置のＩＰアドレスといった画像処理装置１０２のホスト情報を取得する（ステップ７２２）。
【００９１】
接続管理部４１２は接続情報送信部４１１を用いてステップ７２２で取得したＩＰアドレスの画像処理装置１０２に対してステップ７２０で取得した画像データとステップ７２１で取得したログイン情報を接続要求７３０として送信する（ステップ７２３）。二次元バーコードにワンタイム性を確保するための乱数文字列が含まれていれば、乱数文字列も送信する。
【００９２】
接続管理部４１２はログイン情報を送信したら接続許可受信部４１２を用いて接続許可７３３または接続不許可７３１を待ちうける（ステップ７２４）。
【００９３】
接続管理部４１２は接続許可受信部４１２で画像処理装置１０２の接続許可送信部４１５からメッセージを受信したら接続許可・接続不許可であるかを調べる（ステップ７２５）。接続不許可であれば接続管理部４１２はステップ７１９に遷移する。
【００９４】
接続許可であれば接続管理部４１２はプログラム管理部４１３に対して図１０の１００１のようなＵＩをもつ機器操作部４１０を起動するように依頼し、接続管理部４１２は処理を終了する（ステップ７２６）。
【符号の説明】
【００９５】
１０１  ネットワーク
１０２  画像処理装置
１０３  携帯情報端末
【図１】
2015166944.tif 000003
【図２】
2015166944.tif 000004
【図３】
2015166944.tif 000005
【図４】
2015166944.tif 000006
【図５】
2015166944.tif 000007
【図６】
2015166944.tif 000008
【図７】
2015166944.tif 000009
【図８】
2015166944.tif 000010
【図９】
2015166944.tif 000011
【図１０】
2015166944.tif 000012
【図１１】
2015166944.tif 000013
【図１２】
2015166944.tif 000014